(57)【要約】【課題】従来の泡立て具が有する、使用方法の手順の多さ・煩雑さ、皮膚洗浄料の使用時の無駄、使用感触及び使用勝手の悪さ、携帯に際しての不便等の欠点が改善されたした新しいタイプの泡立て具を提供すること。【解決手段】少なくとも一部にスポンジ構造を有する板状物内に皮膚洗浄料を内包した容器が収納された皮膚洗浄料泡立て具であって、前記容器が、水と接触することによって内包した皮膚洗浄料を板状物と接触させる機能を有していることを特徴とする皮膚洗浄料泡立て具。【選択図】図１
2007144020.tif 000002
【特許請求の範囲】
【請求項１】
少なくとも一部にスポンジ構造を有する板状物内に皮膚洗浄料を内包した容器が収納された皮膚洗浄料泡立て具であって、前記容器が、水と接触することによって内包した皮膚洗浄料を板状物と接触させる機能を有していることを特徴とする皮膚洗浄料泡立て具。
【請求項２】
容器が、水溶性ポリマーで形成された容器である請求項１記載の皮膚洗浄料泡立て具。
【請求項３】
皮膚洗浄料が粉体状の皮膚洗浄料である請求項１記載の皮膚洗浄料泡立て具。
【請求項４】
容器が不織布又はメッシュで形成された容器である請求項３記載の皮膚洗浄料泡立て具。
【請求項５】
容器が、袋物である請求項１乃至４のいずれか一項に記載の皮膚洗浄料泡立て具。
【請求項６】
板状物が、少なくとも一方がスポンジ構造を有する２つの板状物の積層体である請求項１乃至５のいずれか一項に記載の皮膚洗浄料泡立て具。
【請求項７】
一方の板状物が機能性板状物である請求項６記載の皮膚洗浄料泡立て具。
【請求項８】
機能性板状物が保水機能、マッサージ機能、洗浄機能又は角質除去機能を有する板状物である請求項７記載の皮膚洗浄料泡立て具。
【請求項９】
板状物が、スポンジ構造を有する２つの板状物の積層体である請求項１乃至５のいずれか一項に記載の皮膚洗浄料泡立て具。
【請求項１０】
板状物が、スポンジ構造を有する板状物である請求項１乃至５のいずれか一項に記載の皮膚洗浄料泡立て具。
【請求項１１】
請求項１乃至１０のいずれか一項に記載の皮膚洗浄料泡立て具を形成するための、請求項１乃至１０のいずれか一項に記載の板状物と請求項１乃至１０のいずれか一項に記載の容器とからなるセット。
【請求項１２】
請求項１乃至１０のいずれか一項に記載の皮膚洗浄料泡立て具を形成するための、請求項１乃至１０のいずれか一項に記載の容器。
【発明の詳細な説明】
【技術分野】
【０００１】
本発明は、皮膚洗浄料泡立て具、さらに詳しくは、少なくとも一部にスポンジ構造を有する板状物内に皮膚洗浄料を内包した容器が収納された皮膚洗浄料泡立て具に関する。
【背景技術】
【０００２】
従来、身体洗浄において泡立て具が用いられている。泡立て具は、一般的には、スポンジ構造を有し、水または、ぬるま湯で湿らせた後、皮膚洗浄料をその表面につけ、手のひらで、もむようにして皮膚洗浄料の泡を作り、顔や身体等を洗浄するために使用されている。
【０００３】
泡立て具に関する技術に関しては、近年、弾性を有する合成樹脂で連続発泡させた発泡体で形成した洗顔用泡立て具の技術（特許文献１参照）が開示されている。
【０００４】
従来の泡立て具は、（１）スポンジ（泡立て具）を水に濡らし、その表面に皮膚洗浄料を塗布し、泡立たせ泡を作るので、使用方法が手順が多く、煩雑であった。（２）皮膚洗浄料を容器から吐出する際又は皮膚洗浄料のついたスポンジを水に濡らす際に洗浄料にロスが発生し、皮膚洗浄料の無駄があった。（３）皮膚洗浄料をスポンジ（泡立て具）の表面に塗布し、泡を作るので、皮膚洗浄料の塗布が不均一であり、特に粉末皮膚洗浄料に関しては粉の飛散、溶け残りがあり、さらに、粘性の低い液体であれば塗布した際に流れ落ちたりして、使用感触及び使用勝手が悪かった。（４）さらに、携帯に際して、皮膚洗浄料と泡立て具の両方を別々に持っていかなくてはならず、不便であった。
【０００５】
【特許文献１】特開２００３−２０４８９４号公報
【発明の開示】
【発明が解決しようとする課題】
【０００６】
本発明は上記事情に鑑みてなされたもので、その目的は、上記従来の泡立て具が有する、使用方法の手順の多さ・煩雑さ、皮膚洗浄料の使用時の無駄、使用感触及び使用勝手の悪さ、携帯に際しての不便等の欠点が改善されたした新しいタイプの泡立て具を提供することにある。
【課題を解決するための手段】
【０００７】
本発明者は上記課題を解決するために鋭意研究を行った結果、少なくとも一部にスポンジ構造を有する板状物内に、皮膚洗浄料を内包した特殊機能を有する容器を収納することにより上記課題が解決されることを見出し、本発明を完成するに至った。
【０００８】
すなわち、本発明は、少なくとも一部にスポンジ構造を有する板状物内に皮膚洗浄料を内包した容器が収納された皮膚洗浄料泡立て具であって、前記容器が、水と接触することによって内包した皮膚洗浄料を板状物と接触させる機能を有していることを特徴とする皮膚洗浄料泡立て具である。
【０００９】
前記容器は、水溶性ポリマーで形成された容器であることができる。
【００１０】
また、前記皮膚洗浄料は、粉体状の皮膚洗浄料であることができ、この場合、容器を不織布又はメッシュで形成された容器とすることができる。
【００１１】
また、前記容器は、袋物であることが好ましい。
【００１２】
前記本発明の皮膚洗浄料泡立て具においては、板状物を、少なくとも一方がスポンジ構造を有する２つの板状物の積層体とすることができる。この場合、一方の板状物は機能性板状物であることができる。
【００１３】
前記機能性板状物は、保水機能、マッサージ機能、洗浄機能又は角質除去機能を有する板状物であることができる。
【００１４】
前記本発明の皮膚洗浄料泡立て具においては、板状物を、スポンジ構造を有する２つの板状物の積層体とすることができる。
【００１５】
前記本発明の皮膚洗浄料泡立て具においては、板状物を、スポンジ構造を有する板状物とすることができる。
【００１６】
さらに、本発明は、前記いずれかの皮膚洗浄料泡立て具を形成するための、前記いずれかの板状物と前記いずれかの容器とからなるセットである。
【００１７】
さらに、本発明は、前記いずれかの皮膚洗浄料泡立て具を形成するための、前記いずれかの容器である。
【００１８】
本発明における板状物には、布、パック、シート等の形状のものも含まれる。また、本発明において「皮膚洗浄料を内包する」とは、皮膚洗浄料が板状物と接触することなく容器内に保持されている状態をいう。例えば、封をされた容器内に保持されている場合が一つの例として挙げられる。
【００１９】
本発明においては、皮膚洗浄料泡立て具を水にぬらすと、水が板状物を透過し、容器が水溶性ポリマー等の水溶性材料で形成された容器である場合は、容器を溶解し内包されていた皮膚洗浄料が水溶液及び／又は水分散液となり、板状物に流れ出て接触する。また、容器が不織布、メッシュ等の水透過性（水溶液透過性）シートで形成された容器である場合は、上記板状物を透過した水は、容器と接触し、容器を透過して内包されていた皮膚洗浄料を水溶液及び／又は水分散液とし、上記水透過性（水溶液透過性）シートの孔を通過して板状物中に流れ出て接触する。その後、皮膚洗浄料泡立て具を手のひらでもむことにより皮膚洗浄料の泡を作る。
【発明の効果】
【００２０】
本発明に係る皮膚洗浄料泡立て具は、泡立て具と皮膚洗浄料とが一緒になったことで、従来欠点であった、使用方法の手順の多さ・煩雑さ、皮膚洗浄料の使用時の無駄、使用感触及び使用勝手の悪さ、携帯に際しての不便等の欠点が改善され、使用法が簡単であり、皮膚洗浄料の無駄もなく、使用感触及び使用勝手のよい、携帯に便利な皮膚洗浄料泡立て具であり、しかも使い捨てとして使用できるので衛生的である。上記本発明に係る皮膚洗浄料泡立て具は、顔や体等の肌に対して皮膚洗浄料の泡洗浄機能を十分に発揮することのでき、容器に内包された皮膚洗浄料が皮膚洗浄料泡立て具の外部へ透過するのを抑止する等使用しないときの保存安定性に優れる。
【発明を実施するための最良の形態】
【００２１】
本発明は、少なくとも一部にスポンジ構造を有する板状物内に皮膚洗浄料を内包した容器が収納された皮膚洗浄料泡立て具であって、前記容器が、水と接触することによって内包した皮膚洗浄料を板状物と接触させる機能を有していることを特徴とする皮膚洗浄料泡立て具である。
【００２２】
以下、本発明の実施の形態を実施例として示した図面に基いて説明する。なお、本発明は以下の実施形態に限定されるものではない。まず、一つの実施の形態（実施の形態１）について説明する。実施の形態１の特徴は、板状物を２つの板状物の積層体で構成した点にある。
【００２３】
図１は、実施の形態１の一例である皮膚洗浄料泡立て具の形状を示す、一部を切り欠いた斜視図である。図２は、図１の皮膚洗浄料泡立て具のＡ−Ａ線断面の模式図である。
【００２４】
実施の形態１に係る図１（図２）の皮膚洗浄料泡立て具１１は平面が略四辺形の形状を有し、２つのスポンジ構造を有する板状物２１が積層体を形成し、該積層体の前記２つの板状物２１の間に、皮膚洗浄料３０（図１では示されていない。）を封緘状態で内包した容器４０が収納されている。
【００２５】
スポンジ構造を有する板状物２１は多孔質体であり、例えば、皮膚洗浄料泡立て具１１を水またはぬるま湯で湿らし、手のひらでもむことにより、皮膚洗浄料３０が泡となって外部へ出る程度の水（水溶液）透過性と高弾性を備えたものである。多孔質体の気孔の大きさとしては、一般的に、平均直径が約３０〜２０００μｍ程度のものであることが好ましい。ここで、直径とは、気孔の断面の形状が円の場合は、その円の直径を意味しているが、円以外の形状の場合は、この面積と同等の面積を持つ仮想円の直径のことを意味している。また、気孔の密度は約１００〜４００００個／ｃｍ３程度であるのが好ましい。
【００２６】
また、スポンジ構造を有する板状物２１を構成する素材としては、濡れ性がよく、連続気泡構造であることが好ましく、従来公知のものを用いることができる。具体的な例としては、ヘチマ等の植物繊維、綿等の天然繊維、天然ゴム、ＮＢＲ、ポリエステル、ポリエチレン、ポリスチレン、ポリプロピレン、ポリウレタン、ポリオレフィン、ポリアミド（ナイロン）、等の合成材料等が挙げられる。
【００２７】
２つの板状物２１を積層する方法としては、特に限定されるものではないが、例えば、ヒートシール、高周波シール、超音波シール、接着剤、圧着等により２つの板状物２１を固着して形成させる。
【００２８】
前記２つのスポンジ構造を有する板状物２１の間には、皮膚洗浄料３０を封緘状態で内包した容器４０が収納されている。収納する方法は特に限定されず、一般的な方法が用いられる。
【００２９】
前記皮膚洗浄料３０としては、水を含まないものであり、固形、半固形、液体のいずれの状態の皮膚洗浄料３０であっても構わず、従来から公知のパウダー状、半固形状、液状、錠剤等の水を含まない皮膚洗浄料を用いることができる。
【００３０】
前記皮膚洗浄料３０として、具体的には、例えば、顔や体を洗浄する洗顔料、ボディーソープ、シャンプー、足洗浄用ソープ等の各種洗浄料が挙げられるが、泡をたてることが特に重要である洗顔料が好ましく用いられる。特に好ましくは、パウダー状洗顔料である。
【００３１】
容器４０は、皮膚洗浄料泡立て具１１を使用する前の保管時において、皮膚洗浄料３０が容器４０外に出ないように安定に内包しておくものであり、封緘されている。容器４０は、容器４０が水と接触すると内包した皮膚洗浄料３０を板状物２１と接触させる機能を有している。例えば、使用時に皮膚洗浄料泡立て具１１を水で濡らして皮膚洗浄料３０を泡立てる際に、皮膚洗浄料泡立て具１１を水で濡らした時容器４０が水と接触することにより内包した皮膚洗浄料３０が何らかの形で板状物２１と接触する。板状物２１と接触した皮膚洗浄料３０は水によって泡立てられる。
【００３２】
前記機能を有した容器４０としては、水溶性ポリマー等の水溶性材料、不織布、メッシュ等の水透過性（水溶液透過性）シート等で形成されたものが好ましい。例えば、前記水溶性材料で形成されたものの場合は、使用時、皮膚洗浄料泡立て具１１を水で濡らすことで容器４０が水と接触し水溶性材料が溶解し、内包された皮膚洗浄料３０が水とともに板状物２１と接触し皮膚洗浄料泡立て具１１として使用することができる。また、水透過性（水溶液透過性）シートで形成されたものの場合は、使用時、皮膚洗浄料泡立て具１１を水で濡らすことで容器４０を通して水が容器４０内に入り込み内包された粉末状の３０を溶解させ水透過性（水溶液透過性）シートを通して容器４０から外に流れ出し、板状物２１と接触し皮膚洗浄料泡立て具１１として使用することができる。なお、容器４０が水透過性（水溶液透過性）シートで形成されたものの場合も本発明の内包の範ちゅうに含まれ、この場合の皮膚洗浄料３０は粉末状のものが用いられる。容器４０の材質としては柔軟性を有する素材が好ましい。
【００３３】
前記水溶性材料としては、プルラン、ゼラチン、デンプン等の天然水溶性ポリマー、セルロース、可溶性デンプン等の半合成水溶性ポリマー、ポリビニルアルコール、ポリビニルピロリドン等合成水溶性ポリマー等の水溶性ポリマーが挙げられる。
【００３４】
前記水透過性シートとしては、絹、木材パルプ、綿等のセルロース等の天然材料、レーヨン、アセテート、アクリル、ポリエステル、ポリエチレン、ポリプロピレン、ポリウレタン、ポリアミド（ナイロン）、セルロースエステル等の合成材料等を材料とした不織布・メッシュ等が挙げられる。
【００３５】
容器の形態としては、皮膚洗浄料３０を包み込めればどのような形態をしていても構わないが、図１に示したような袋物であることが使用性の点で好ましい。
【００３６】
前記図１においては、板状物がスポンジ構造を有する２つの板状物の積層体からなるものであるが、本発明においては前記２つの板状物の両方がスポンジ構造を有する必要はなく、一方のみで構わない。スポンジ構造を有する板状物以外の他の一方の板状物としては特に限定されないが、例えば、シート、織布等が挙げられる。これらの板状物は軟質のものが好ましい。
【００３７】
本発明においては、前記スポンジ構造を有する板状物以外の他の一方の板状物は、機能を有する機能性の板状物とすることができる。
【００３８】
前記機能性板状物の機能としては、例えば保水機能、マッサージ機能、洗浄機能、角質除去機能等が挙げられる。機能性板状物の具体例としては、洗浄用パフ、角質除去シート、マッサージシート、あかすりシート等が挙げられる。
【００３９】
図３は、機能性板状物を用いた場合の皮膚洗浄料泡立て具の形状を示す、一部を切り欠いた斜視図である。図４は、図３の皮膚洗浄料泡立て具のＡ−Ａ線断面の模式図である。
【００４０】
図３（図４）に係る皮膚洗浄料泡立て具１３は、マッサージシートからなる機能性板状物２３とスポンジ構造を有する板状物２２が積層体を形成し、該積層体からなる前記２つの板状物の間に、皮膚洗浄料３０（図３では示されていない。）を封緘状態で内包した袋状の容器４０が収納されている。なお、機能性板状物２３以外の構成については、前記図１（図２）に係る２つともスポンジ構造を有する積層体を用いる場合について述べたものと同様、または準じるものである。
【００４１】
本発明においては、機能性板状物を用いることにより、皮膚洗浄料泡立て具に、泡立て具が有する本来の機能に加えて別種の機能を付加することができ、いわゆる多機能泡立て具として重用される。例えば、機能性板状物の素材選択により最適な泡を作るための強度調整が可能となり、これによりスポンジ構造を有する板状物の素材選択の自由度が大きくなる。また、機能性板状物に保水性素材を用いることで、保水効果を高めることが可能であり、内包された皮膚洗浄料に対して適量の水を保持することができる。例えば、連続発泡タイプの目の粗いスポンジ及び植物繊維（ヘチマ等）は泡立ての能力は大きいが水に濡らしたときに水を保持する能力が小さく、これらに対して特に有効である。
【００４２】
本発明における皮膚洗浄料泡立て具は、実施の形態２として、スポンジ構造を有する板状物内に皮膚洗浄料を内包した容器が収納された皮膚洗浄料泡立て具であって、前記容器が、水と接触することによって内包した皮膚洗浄料を板状物と接触させる機能を有していることを特徴とする皮膚洗浄料泡立て具の形態をとることができる。実施の形態２の特徴は、板状物をスポンジ構造を有する単一の板状物で構成した点にある。
【００４３】
図５は、実施の形態２の一例である皮膚洗浄料泡立て具の形状を示す、一部を切り欠いた斜視図である。図６は、図５の皮膚洗浄料泡立て具のＡ−Ａ線断面の模式図である。
【００４４】
実施の形態２に係る図５（図６）の皮膚洗浄料泡立て具１２は平面が略四辺形の形状を有し、単一のスポンジ構造を有する板状物２４内に、皮膚洗浄料３０（図４では示されていない。）を封緘状態で内包した袋状の容器４０が収納されている。
【００４５】
前記皮膚洗浄料泡立て具１２における、皮膚洗浄料泡立て具１２の形状、スポンジ構造を有する板状物、皮膚洗浄料、容器等についての構成は全て前記実施の形態１に係る皮膚洗浄料泡立て具１１と同様、または準じるものである。
【００４６】
本発明において、板状物の形状は、前記各実施の形態においては四辺形とする形状であるが、形状は、特に限定されることなく、いかなる形状であっても構わず、例えば四辺形の他に、円形、ハート型等を取り得る。
【００４７】
また、本発明において、機能性板状物は、前記本発明に係る構成とは別に設けても構わない。
【００４８】
また、本発明における皮膚洗浄料泡立て具は、少なくとも一部にスポンジ構造を有する板状物と、該板状物に収納される水を含まない皮膚洗浄料が内包された本発明に係る容器とを別体とし、必要なときに前記板状物内に前記容器が収納された皮膚洗浄料泡立て具を形成させてもよく、これらの別体物及び別体物のセットも本発明の範ちゅうに含まれる。前記別体物又は別体物のセットの使用態様としては、例えば、前記板状物内に前記容器が収納された皮膚洗浄料泡立て具を使用した後に、新しい本発明に係る容器を再度セットして使用することもできる。これらの実施態様の場合、前記板状物には本発明に係る容器を出し入れする開口部を設け、開口部をマジックテープ（登録商標）等で止めるようにすることが好都合である。また、前記容器は、レフィルとして機能することも可能であり、例えば、少なくとも一部にスポンジ構造を有する板状物の一部を開口し必要なときに水を含まない皮膚洗浄料が内包された本発明に係る容器を開口部より挿入し使用することも可能である。
【００４９】
本発明に係る皮膚洗浄料泡立て具の大きさは任意であるが、立方体、直方体等の立体四辺形の場合、一般的には、使い勝手の点から一辺が４０〜１５０ｍｍ程度、厚さが１０〜５０ｍｍ程度が好ましく用いられる。
【００５０】
本発明における皮膚洗浄料泡立て具の製造方法は特に限定されるものではないが、例えば、実施の形態１のような２つの板状物を用いた皮膚洗浄料泡立て具の場合は、板状物の上に皮膚洗浄料を内包した容器をのせ、さらにその上に別の板状物を重ねてのせ、上記容器を挟み込み、次いで前記２つの板状物をパックして積層する。なお、容器へ皮膚洗浄料を内包する方法は、特に限定されず、常法で行われる。また、２つの板状物を積層する方法は前記のとおりである。
【００５１】
また、実施の形態２のような１つの板状物を用いた皮膚洗浄料泡立て具の場合は、スポンジ構造を有する板状物の側面に、板状物の平面に並行して切り込みを入れ、該切り込みに皮膚洗浄料を内包した容器を収納し、次いで前記板状物をパックして製造される。なお、容器へ皮膚洗浄料を内包する方法は、特に限定されず、常法で行われる。また、板状物のパックの方法は前記２つの板状物を積層する方法に準じて行われる。
【００５２】
本発明に係る皮膚洗浄料泡立て具は、例えば、袋に収納して保管される。また、皮膚洗浄料泡立て具の使用に当たって、その使用方法は任意であるが、例えば皮膚洗浄料泡立て具を水またはぬるま湯で湿らし、手のひらでもむことにより、泡を作り、できた泡をすくい取って使用する。または、洗浄部位をマッサージをするかのごとく用い洗浄して使用する。
【００５３】
本発明に係る皮膚洗浄料泡立て具は使い捨てとして使用でき、衛生的である。
【実施例】
【００５４】
以下本発明に係る皮膚洗浄料泡立て具の使用例について記載する。
【００５５】
本発明に係る皮膚洗浄料泡立て具として、実施の形態２に係るスポンジ構造を有する板状物内に皮膚洗浄料（パウダー状洗顔料）を封緘状態で内包した水溶性ポリマー（デンプン）製袋物が収納された皮膚洗浄料泡立て具を使用し、ランダムに選出した被験者５名により使用テストを行なった。
【００５６】
実施使用手順は、保管された袋より皮膚洗浄料泡立て具を取り出した後、皮膚洗浄料泡立て具を水に濡らし、手のひらにて揉み、泡を発生させた。次いで、できた泡をすくい取って、その泡で洗顔した。
【００５７】
使用後は、いずれの被験者からも、（１）皮膚洗浄料泡立て具は粉漏れはなく使用に際し問題のない状態であった。（２）使用法にめんどくささがなく泡が簡単に得られる。（３）洗顔料のロスがない。（４）泡が多くボリュームがあり、均一なきめ細かい弾力のある泡であり、使用して気持ちよく、楽しく、使用感触、使用勝手のよいものである。（５）使用後は洗顔効果もよく、さっぱりして気持ちがよい。（６）持ち運び（携帯）に便利である。（７）使い捨てであるので清潔である。等の評価が得られた。
【図面の簡単な説明】
【００５８】
【図１】一つの実施の形態（実施の形態１）に係る皮膚洗浄料泡立て具の形状を示す、一部を切り欠いた斜視図である。
【図２】図１の皮膚洗浄料泡立て具のＡ−Ａ線断面の模式図である。
【図３】機能性板状物としてマッサージシートを用いた場合の皮膚洗浄料泡立て具の形状を示す、一部を切り欠いた斜視図を示してある。
【図４】図３の皮膚洗浄料泡立て具のＡ−Ａ線断面の模式図である。
【図５】一つの実施の形態（実施の形態２）に係る皮膚洗浄料泡立て具の形状を示す、一部を切り欠いた斜視図である。
【図６】図５の皮膚洗浄料泡立て具のＡ−Ａ線断面の模式図である。
【符号の説明】
【００５９】
１１、１２、１３    皮膚洗浄料泡立て具
２１、２２、２４    スポンジ構造を有する板状物
２３    機能性板状物
３０    皮膚洗浄料
４０    容器
【図１】
2007144020.tif 000003
【図２】
2007144020.tif 000004
【図３】
2007144020.tif 000005
【図４】
2007144020.tif 000006
【図５】
2007144020.tif 000007
【図６】
2007144020.tif 000008